(57)【要約】  【課題】  青果物などの陳列物の種々の大きさ、種々の形状などに対応できるボリューム感のある陳列の演出に優れた簡易な構造の商品陳列台を提供すること。  【解決手段】  ３つの側板２１、２２、２３を有し、３つの側板のうち、互いに隣接する２つの側板２１、２２に連続する貫通溝２４を長手方向（Ｘ方向）に所定のピッチで多数付設した枠体２と、板状の商品仕切り板１を備え、枠体２は、開口を下方に向けて且つ側板の長手方向が左右に延びるように設置面Ｙに載置し、貫通溝２４に商品仕切り板１を嵌合させて用いる。【選択図】        図１
2006000431.tif 000002
【特許請求の範囲】
【請求項１】
少なくとも３つの側板を有し、該３つの側板のうち、少なくとも互いに隣接する２つの側板に連続する貫通溝を長手方向に所定のピッチで多数付設した枠体からなることを特徴とする商品陳列台。
【請求項２】
更に、板状の商品仕切り板を備え、該枠体は、側板の長手方向が左右に延びるように設置面に載置し、該貫通溝に該商品仕切り板を嵌合させて用いることを特徴とする請求項１記載の商品陳列台。
【請求項３】
該枠体は、３つの側板を有する断面が略コ字状のものであることを特徴とする請求項１又は２記載の商品陳列台。
【請求項４】
該３つの側板のうち、互いに隣接する２つの側板に連続する貫通溝を長手方向に等ピッチで多数付設し、他の１つの側板の内側の面に非貫通溝を該貫通溝に連続するように、同じピッチで付設したことを特徴とする請求項３記載の商品陳列台。
【請求項５】
該枠体の１つ又は２つ以上、該商品仕切り板の１つ又は２つ以上を組み合わせて用いることを特徴とする請求項２〜４のいずれか１項記載の商品陳列台。
【請求項６】
該商品仕切り板は、該枠体の貫通溝に嵌合して、該商品仕切り板の前方部を該枠体の前方側板より前方へ突出させて用いることを特徴とする請求項２〜５のいずれか１項記載の商品陳列台。
【請求項７】
該商品が、野菜、青果物であることを特徴とする請求項１〜６のいずれか１項記載の商品陳列台。
【発明の詳細な説明】
【技術分野】
【０００１】
本発明は、主として青果物売り場で使用される多面的な陳列ができ、且つ陳列安定性に優れる商品陳列台に関するものである。
【背景技術】
【０００２】
近年、スーパー、百貨店、専門店、コンビニエンスストアー等の店内で例えば青果物の陳列に使用される商品陳列棚として、商品を載置する１以上の斜面を一方向に隣接して設け、この一方向一端に商品落下防止部を有し且つ他端に平面を有して表陳列面を構成し、該表陳列面の裏側に仕切り板の嵌合溝を少なくとも１以上設けて裏陳列面を構成してなり、前記陳列ケース内に高さ可変の設置台を配設し、該設置台に商品陳列棚の前記表陳列面及び裏陳列面のいずれか一方を置き、いずれか他方に商品を陳列する陳列棚が知られている（特開２００１−１９７９８４号公報）。この商品陳列棚は、少ない部品で、商品の多様化、頻繁に起こる模様替えに十分に対応出来、模様替えの度に不用となったり、新たに購入する必要性を少なくし、かつ保管のためのスペースを減らすことができる効果があり、極めて有用な陳列棚である。
【特許文献１】特開２００１−１９７９８４号公報（請求項１）
【発明の開示】
【発明が解決しようとする課題】
【０００３】
しかしながら、上記の陳列棚で用いられる仕切り板は、前後方向に等ピッチで多数附設された嵌合溝に係合し、陳列商品を前後方向に区画するものである。すなわち、当該仕切り板は陳列商品が前後方向に転落、移動することを防止するものであって、左右方向を区画するものではない。このため、この種の陳列棚ではリンゴやグレープフルーツ等の丸物商品、あるいはねぎ、ごぼう等の長物商品を左右に区画して陳列することができず、またこれらのボリューム感のある陳列を演出することができないという問題がある。
【０００４】
従って、本発明の目的は、青果物などの陳列物の種々の大きさ、種々の形状などに対応できるボリューム感のある陳列の演出に優れた簡易な構造の商品陳列台を提供することにある。
【課題を解決するための手段】
【０００５】
かかる実情において、本発明者らは鋭意検討を行った結果、少なくとも３つの側板を有し、該３つの側板のうち、少なくとも互いに隣接する２つの側板に連続する貫通溝を長手方向に等ピッチで多数付設した枠体、あるいは該枠体と板状の商品仕切り板との組み合わせで、多面的な陳列面が形成でき、度決めの効いたボリューウム感のある仕切りが可能であること等を見出し、本発明を完成するに至った。
【０００６】
すなわち、本発明（１）は、少なくとも３つの側板を有し、該３つの側板のうち、少なくとも互いに隣接する２つの側板に連続する貫通溝を長手方向に所定のピッチで多数付設した枠体からなる商品陳列台を提供するものである。
【０００７】
また、本発明（２）は、更に、板状の商品仕切り板を備え、該枠体は、側板の長手方向が左右に延びるように設置面に載置し、該貫通溝に該商品仕切り板を嵌合させて用いる商品陳列台を提供するものである。また、本発明（３）は、該枠体は、３つの側板を有する断面が略コ字状のものである前記商品陳列台を提供するものである。また、本発明（４）は、該３つの側板のうち、互いに隣接する２つの側板に連続する貫通溝を長手方向に等ピッチで多数付設し、他の１つの側板の内側の面に非貫通溝を該貫通溝に連続するように、同じピッチで付設した前記商品陳列台を提供するものである。また、本発明（５）は、該枠体の１つ又は２つ以上、該商品仕切り板の１つ又は２つ以上を組み合わせて用いる前記商品陳列台を提供するものである。また、本発明（６）は、該商品仕切り板は、該枠体の貫通溝に嵌合して、該商品仕切り板の前方部を該枠体の前方側板より前方へ突出させて用いる前記商品陳列台を提供するものである。また、本発明（７）は、該商品が、野菜、青果物である前記商品陳列台を提供するものである。
【発明の効果】
【０００８】
本発明の商品陳列台によれば、簡易な構造の枠体、あるいは該枠体と板状の商品仕切り板の組み合わせのみで、多面的な陳列面が形成できるとともに、陳列面への設置が容易で、度決めの効いたボリューム感のある仕切りが可能となる。また、商品仕切り板は薄肉でよいため商品を陳列した後でも容易に商品間を通して貫通溝に嵌合できるため、売り場の商品の陳列の乱れを防ぎ、商品陳列のガイドとして、上方向に積み上げるボリューム感のある商品陳列ができる。
【発明を実施するための最良の形態】
【０００９】
本明細書において、「前」とは通路側（顧客側）を言い、「後」とはその反対側を言う。また、長手方向とは設置状態における左右方向を言い、必ずしも長さを定義するものではない。従って、枠体の左右方向の長さは前後方向、又は高さ方向の寸法より短くてもよい。本発明において、枠体の外観形状としては、特に制限されず、３つの側板を有する断面がコ字形状のもの、４つの側板を有する断面が四角形状のものが挙げられ、側板は長手方向（左右方向）に延出している。
【００１０】
また、連続する貫通溝は所謂縦溝であって、３つの側板を有する断面がコ字形状の場合、互いに隣接する２つの側板に亘って連続する貫通溝、３つの側板の全てに亘って連続する貫通溝が挙げられる。また、互いに隣接する２つの側板に亘って連続する貫通溝の場合、他の１つの側板の内側の面に非貫通溝を該貫通溝に連続するように、同じピッチで付設したものが挙げられる。これにより、商品仕切り板は貫通溝と非貫通溝の双方に嵌合する安定な設置が可能となる。４つの側板を有する断面が四角形状の場合、互いに隣接する３つの側板に亘って連続する貫通溝、４つの側板の全てに亘って連続する貫通溝が挙げられる。
【００１１】
貫通溝間の所定のピッチとしては、長手方向全体に亘って等ピッチであってもよく、異なるピッチであってもよいが、等ピッチであるものが、製作が容易であることや使い勝手が良い点で好ましい。ピッチ寸法としては、特に制限されず、使用目的などにより適宜決定される。ピッチ間隔が小さいほど、きめ細かな区画ができる。また、貫通溝の形状としても、特に制限されず、数ミリ幅の長溝等が挙げられる。
【００１２】
貫通溝に嵌合する商品仕切り板としては、板状物であれば特に制限されず、矩形状の板状物、不定形状の板状物、下端に嵌合片を有する板状物等が挙げられる。下端に嵌合片を有しないものは、下端縁全体もしくは仕切り板本体の一部が嵌合溝に嵌合する。また、商品仕切り板は枠体の貫通溝に嵌合して商品仕切り板の前方部を該枠体の前方側板より前方へ突出させて用いることができる。この場合、陳列棚などの設置面が陳列面として活用できる。
【００１３】
次に、本発明の実施の形態における商品陳列台を図１〜図９を参照して説明する。図１〜図４は枠体の設置形態が枠体の開口を下に向けて載置した例（設置形態１）であり、図５〜図８は枠体の設置形態が枠体の肉厚側面を下方に位置させ、開口を後方に向けて載置した例（設置形態２）である。図１は第１の実施の形態例の設置形態１における商品陳列台の分解斜視図、図２は本例の商品陳列台の使用状態を説明する一部を省略した図、図３は本例の商品陳列台の使用例を示す側面図、図４は本例の商品陳列台の他の使用例を示す斜視図、図５は本例の商品陳列台の設置形態２における分解斜視図、図６は本例の商品陳列台の使用状態を説明する一部を省略した図、図７は本例の商品陳列台の使用例を示す側面図、図８は本例の商品陳列台の他の使用例を示す斜視図、図９は第２の実施の形態の商品陳列台の使用例を説明する図である。
【００１４】
第１の実施の形態の設置形態１における商品陳列台１０は、３つの側板２１〜２３を有する断面がコ字形状物であって、該３つの側板２１〜２３のうち、互いに隣接する２つの側板２１、２２に亘って連続する貫通溝２４を長手方向（左右方向、図中のＸ方向）に所定のピッチで多数付設した枠体２と、板状の商品仕切り板１を備え、枠体２は、開口が下方に向くように且つ貫通溝２４が前方及び上方に向くように設置面Ｙに載置し、貫通溝２４に商品仕切り板１を嵌合させて用いるものである。
【００１５】
枠体２の外観は断面がＬ字状の薄肉の枠体と、Ｌ字状の長手の辺を構成する側板２２の一端２２１と厚肉の側板２３（後方板）の上方端を接続し、断面がコ字形状となるようにしたものであり、所謂長椅子（ベンチ）状である。１つの貫通孔２４は側板２１の縁２１１のやや上方から隣接する他の側板２２の一端に延びる断面がＬ字形状のスリット状であり、これが長手方向（左右方向）に所定のピッチで多数付設されている。一方、厚肉の側板２３は所謂上げ底になっており、側板２３の内側の面には、貫通溝２４に連続するように、同じピッチで付設した非貫通溝２５が付設されている。非貫通溝２５は商品仕切り板１が嵌合するため貫通溝２４と同様の溝幅を有し、商品仕切り板１の下縁が嵌り込む溝深さを有する。
【００１６】
また、枠体２の天板となる薄肉板の側板２２の縁部２２１と後方板となる厚肉の側板２３が接続する境界部分の外側（図１中、天板側）には、左右に連続する嵌合溝２６が形成されている。一方、厚肉の側板２３の開口側の縁部の内側には左右に連続する嵌合片２３１が形成されており、例えば枠体２を２段重ねした場合、上段にくる枠体の嵌合片２３１が、下段にくる枠体の嵌合溝２６に嵌合して安定な組み付け体ができるようになっている。また、枠体の嵌合溝２６には商品仕切り板１の係合片１４の突起が嵌合して、商品仕切り板の設置安定性を高める。このような枠体２は本例では開口を下にして厚肉の側板２３を後方板となるようにして例えば陳列棚面Ｙ上の設置される。
【００１７】
商品仕切り板１は、枠体２の貫通溝２４に嵌合する厚さを有する板状物であって、本例では板状の本体１１と、前方上側に丸みを付けたアーチ、前方下側に嵌合片１２、該嵌合片１２から一段切り欠かれた下縁には、３つの突起１３が所定の間隔を置いて形成され、更に後方上側のコーナーには係合片１４を備えている。また、商品仕切り板１の嵌合片１２から一段切り欠かれた下縁から上方縁までの高さは、天板となる側板２２に形成された貫通溝２４の長さから側板２１の略板厚分を引いた長さとなっている。
【００１８】
本例において、貫通溝２４に商品仕切り板１を嵌合させる形態としては、特に制限されず、枠体２の１つ又は２つ以上、商品仕切り板１の１つ又は２つ以上を組み合わせて用いればよい。また、商品仕切り板１が嵌合する貫通溝２４は商品を左右に区画する如何なる場所であってもよい。なお、図２は枠体２と商品仕切り板１の嵌合状態を判り易くするため、一部を切り欠いて示したものである。例えば図３は上段４ａ、中段４ｂ、下段４ｃにかけて奥行き長さが長くなる３段の商品陳列棚３における商品陳列台１０の異なる載置形態を示すものである。すなわち、上段４ａにおける商品陳列台１０は、商品仕切り板１を枠体２の貫通溝２４に差込み、商品仕切り板１の後方にある係合片１４を枠体２の後方板である側板２３の上端に載置させる。これにより、比較的奥行きの無い陳列棚４ａ上、及び枠体２の側板２２の上面にも設置でき、丸物商品Ａをボリューム感のある陳列を演出できる。なお、符号５はＰＯＳレール、符号６は商品転落防止板である。
【００１９】
中段４ｂにおける商品陳列台１０は、商品仕切り板１を枠体２の貫通溝２４に差込み、商品仕切り板１の下縁にある真ん中の係止片１３を枠体２の前方の側板２１の前面に係り止めさせたものである。これにより、やや奥行きのある陳列棚４ｂにも設置でき、比較的多くの丸物商品Ａをボリューム感のある陳列を演出できる。
【００２０】
下段４ｃにおける商品陳列台１０は、商品仕切り板１を枠体２の貫通溝２４に差込み、商品仕切り板１の下縁にある後方の係止片１３を枠体２の前方の側板２１の前面に係り止めさせたものである。これにより、奥行きのある陳列棚４ｃにも設置でき、大量の丸物商品Ａを主に陳列棚４ｃ上に載置してボリューム感のある陳列を演出できる。
【００２１】
また、図４に示すように、本例の商品陳列棚１０は奥行きのある陳列棚４面に対して、左右方向に異なる陳列形態を採ることができる。すなわち、図４中、左側の商品陳列台１０は図３の下段に設置した商品陳列台と同様、大量の商品を主に陳列棚４上に載置してボリューム感のある陳列を演出できる。また、真ん中の商品陳列台１０は図３の中段に設置した商品陳列台と同様、やや多い商品を陳列棚４上と枠体２の側板２２の上面にも載置してボリューム感のある陳列を演出できる。また、右側の商品陳列台１０は図３の上段に設置した商品陳列台と同様、比較的少ない商品を陳列棚４上と枠体２の側板２２の上面にも載置してボリューム感のある陳列を演出できる。更に、同一の陳列棚面４であっても、区画されたスペース毎に種類の異なる商品を陳列することができる。
【００２２】
次に、設置形態２の商品陳列台１０について図５〜図８を参照して説明する。設置形態２の商品陳列台１０において、設置形態１の商品陳列台１０と異なる点は、枠体２と商品仕切り板１は同一のものを使用するものの、枠体２の設置面Ｙへの設置方法を変えた点にある。すなわち、設置形態２の商品陳列台１０は、厚肉の側板２３を下側にし、すなわち設置面Ｙに当接させ、且つ開口を後方側となるようにした点である。この枠体２の貫通溝２４に商品仕切り板１を嵌合させると、後方は開口されているため、前方の嵌合片１２が前方側板２４に当るまで後方奥深く差し込める。
【００２３】
なお、図６は図２同様、枠体２と商品仕切り板１の嵌合状態を判り易くするため、一部を切り欠いて示したものである。例えば図７は上段４ａ、中段４ｂ、下段４ｃにかけて奥行き長さが長くなる３段の商品陳列棚３における商品陳列台１０の異なる載置形態を示すものである。すなわち、上段４ａにおける商品陳列台１０は、商品仕切り板１を枠体２の側板２２の貫通溝２４に差込み、商品仕切り板１の前方の嵌合片１２が前方側板２２に当るまで後方奥深く差し込む。これにより、枠体２の前方と商品仕切り板１との間に形成されるスペースは狭いものの、長物商品Ｂを前出し状態で陳列することができ、長物商品Ｂをボリューム感のある陳列を演出できる。なお、符号５はＰＯＳレール、符号６は商品転落防止板である。
【００２４】
中段４ｂにおける商品陳列台１０は、上段４ａにおける商品陳列台１０の組み付け形態と同じであって、全体を前方に前出しするように設置しものである。これにより、やや奥行きのある陳列棚４ｂにも前出し状態で設置でき、同様に枠体２の前方と商品仕切り板１との間に形成されるスペースは狭いものの、長物商品Ｂを前出し状態で陳列することができ、長物商品Ｂをボリューム感のある陳列を演出できる。
【００２５】
下段４ｃにおける商品陳列台１０は、上段４ａにおける商品陳列台１０の組み付け形態と同じであって、全体を前方に前出しするように設置しものである。これにより、奥行きのある陳列棚４ｃにも前出し状態で設置でき、同様に枠体２の前方と商品仕切り板１との間に形成されるスペースは狭いものの、長物商品Ｂを前出し状態で陳列することができ、長物商品Ｂをボリューム感のある陳列を演出できる。
【００２６】
また、図８に示すように、本例の設置形態２における商品陳列棚１０は、長手方向に、例えば３つのような複数の商品仕切り板１を所定の間隔をおいて、設置する陳列形態を採ることができる。これにより長物商品をボリューム感のある陳列を演出できると共に、同一の陳列棚面４であっても、区画されたスペース毎に種類の異なる商品を陳列することができる。
【００２７】
次に、第２の実施の形態における商品陳列台１０ａを図９を参照して説明する。すなわち、本例の商品陳列台１０ａと第１の実施の形態における商品陳列台１０の異なる点は、本例の商品陳列台１０ａは第１の実施の形態における商品陳列台１０の商品仕切り板１を使用しない点、及び枠体２を上下２段に積み重ねた点にある。この際、上段にくる枠体の側板２３の下端にある嵌合片２３１が、下段にくる枠体の嵌合溝２６に嵌合して安定な組み付け体ができるようになっている。第２の実施の形態における商品陳列台１０ａによれば、左右方向における商品の区画はできないものの、高さ方向に趣のある陳列形態が演出できる。第２の実施の形態における商品陳列台１０ａにおいて、積み重ねる個数は任意であり、且つ大きさの異なる枠体を２つ以上組み合わせることにより更に、趣のある陳列形態が演出できる。
【図面の簡単な説明】
【００２８】
【図１】第１の実施の形態例の設置形態１における商品陳列台の分解斜視図である。
【図２】本例の商品陳列台の使用状態を説明する一部を省略した図である。
【図３】本例の商品陳列台の使用例を示す側面図である。
【図４】本例の商品陳列台の他の使用例を示す斜視図である。
【図５】本例の商品陳列台の設置形態２における分解斜視図である。
【図６】本例の商品陳列台の使用状態を説明する一部を省略した図である。
【図７】本例の商品陳列台の使用例を示す側面図である。
【図８】本例の商品陳列台の他の使用例を示す斜視図である。
【図９】第２の実施の形態の商品陳列台の使用例を説明する図である。
【符号の説明】
【００２９】
１    商品仕切り板
２    枠体
３    商品陳列棚
４ａ〜４ｃ    棚板（設置面）
５    ＰＯＳレール
６    商品転落防止板
２１〜２３  側板
２４    貫通溝
２５    非貫通溝
２６    嵌合溝
【図１】
2006000431.tif 000003
【図２】
2006000431.tif 000004
【図３】
2006000431.tif 000005
【図４】
2006000431.tif 000006
【図５】
2006000431.tif 000007
【図６】
2006000431.tif 000008
【図７】
2006000431.tif 000009
【図８】
2006000431.tif 000010
【図９】
2006000431.tif 000011